(57)【要約】【課題】賞味期限等の商品の品質に関する期限を表示したシートを、客が財布等などに容易に収納できるようにする。【解決手段】実施形態の商品情報処理装置は、プリンタと、受付手段と、読出手段と、決済手段と、発行手段と、を備える。前記受付手段は、一取引に含まれる商品の識別情報を受け付ける。前記読出手段は、商品の品質に関する期限を記憶した記憶部から、前記識別情報が受け付けられた商品の前記期限を読み出す。前記決済手段は、前記一取引の決済処理を行う。前記発行手段は、前記一取引のレシートと、前記一取引に含まれる商品の前記期限を表示した期限表示シートと、を別体で前記プリンタに発行させる。【選択図】図８
2012053694.tif 000002
【特許請求の範囲】
【請求項１】
プリンタと、
一取引に含まれる商品の識別情報を受け付ける受付手段と、
商品の品質に関する期限を記憶した記憶部から、前記識別情報が受け付けられた商品の前記期限を読み出す読出手段と、
前記一取引の決済処理を行う決済手段と、
前記一取引のレシートと、前記一取引に含まれる商品の前記期限を表示した期限表示シートと、を別体で前記プリンタに発行させる発行手段と、
を備える商品情報処理装置。
【請求項２】
前記発行手段は、前記期限表示シートに表示する前記期限が複数有る場合、期限の早い順に前記プリンタに印字させる請求項１に記載の商品情報処理装置。
【請求項３】
前記期限表示シートは、商品の名称と当該商品の前記期限とを表示し、且つ前記期限を前記商品の名称の文字サイズよりも大きい文字サイズで表示している請求項１または２に記載の商品情報処理装置。
【請求項４】
前記発行手段は、前記期限が前記記憶部に記憶されていない商品に対しては前記期限表示シートを発行しない請求項１ないし３のいずれか一項に記載の商品情報処理装置。
【請求項５】
前記レシートは、前記期限表示シートに前記期限が表示された商品には、前記期限表示シートに前記期限が表示されている旨を示す案内情報を表示している請求項４に記載の商品情報処理装置。
【請求項６】
コンピュータを、
一取引に含まれる商品の識別情報を受け付ける受付手段と、
商品の品質に関する期限を記憶した記憶部から、前記識別情報が受け付けられた商品の前記期限を読み出す読出手段と、
前記一取引の決済処理を行う決済手段と、
前記一取引のレシートと、前記一取引に含まれる商品の前記期限を表示した期限表示シートと、を別体でプリンタに発行させる発行手段と、
として機能させるプログラム。
【発明の詳細な説明】
【技術分野】
【０００１】
本発明の実施形態は、商品情報処理装置およびプログラムに関する。
【背景技術】
【０００２】
従来、商品の賞味期限を表示したラベルをレシートと一体で発行する技術が知られている。
【発明の概要】
【発明が解決しようとする課題】
【０００３】
しかしながら、従来技術においては、商品の賞味期限を表示したラベルがレシートと一体化されているため、その一体化されたシートの長さが長くなってしまい、客がその一体化されたシートを財布等に収納しにくい。
【課題を解決するための手段】
【０００４】
実施形態の商品情報処理装置は、プリンタと、受付手段と、読出手段と、決済手段と、発行手段と、を備える。前記受付手段は、一取引に含まれる商品の識別情報を受け付ける。前記読出手段は、商品の品質に関する期限を記憶した記憶部から、前記識別情報が受け付けられた商品の前記期限を読み出す。前記決済手段は、前記一取引の決済処理を行う。前記発行手段は、前記一取引のレシートと、前記一取引に含まれる商品の前記期限を表示した期限表示シートと、を別体で前記プリンタに発行させる。
【図面の簡単な説明】
【０００５】
【図１】図１は、実施形態にかかるストアシステムの構成図である。
【図２】図２は、実施形態にかかるＰＯＳ端末の外観斜視図である。
【図３】図３は、実施形態にかかるＰＯＳ端末の構成を示すブロック図である。
【図４】図４は、実施形態にかかるストアサーバの構成を示すブロック図である。
【図５】図５は、実施形態にかかる商品マスタファイルのデータ構造を示す図である。
【図６】図６は、実施形態にかかるＰＯＳ端末の機能構成を示す図である。
【図７】図７は、実施形態にかかるＰＯＳ端末が行う販売処理の流れを示すフローチャートである。
【図８】図８は、実施形態にかかるレシートおよび期限表示シートを示す平面図である。
【発明を実施するための形態】
【０００６】
以下に、添付図面を参照して、実施形態にかかる商品情報処理装置、ストアシステムおよびプログラムを詳細に説明する。
【０００７】
図１に示すように、ストアシステムＡは、複数台（図では２台）のＰＯＳ（Point  of  Sales：販売時点管理）端末１と、その上位機として機能するストアサーバ１００と、を備えている。各ＰＯＳ端末１とストアサーバ１００とは、ネットワークＮＴを介して接続されている。ネットワークＮＴは、ＬＡＮ（Local  Area  Network）等である。
【０００８】
図２に示すように、ＰＯＳ端末１は、キーボード１１、プリンタ１２、操作者用表示器１３、客用表示器１４およびモードスイッチ１５を備えている。これらのキーボード１１、プリンタ１２、操作者用表示器１３、客用表示器１４およびモードスイッチ１５は、ＰＯＳ本体１６を構成している。また、ＰＯＳ端末１は、ＰＯＳ本体１６に接続された入力装置であるスキャナ１７を備えている。また、ＰＯＳ端末１は、ＰＯＳ端末１の各部を制御する制御部１８（図３参照）をＰＯＳ本体１６に内蔵している。ＰＯＳ本体１６は、ドロワ１９上に載置されている。
【０００９】
キーボード１１は、操作者である店員が操作入力を行うための各種の操作キーを有している。操作キーは、数値を入力するための置数キー、小計キー、締めキー、実行キー等である。キーボード１１は、操作されたキーに応じた信号を制御部１８に入力する。
【００１０】
操作者用表示器１３および客用表示器１４は、例えば液晶表示器であり、制御部１８に駆動されて各種情報を表示する。
【００１１】
モードスイッチ１５は、「登録モード」，「点検モード」，「精算モード」，「設定モード」などの各種動作モードを選択するためのスイッチであり、図示しない鍵にて操作される。モードスイッチ１５は、切り替え位置に応じた信号を制御部１８に入力する。
【００１２】
プリンタ１２は、取引単位で、レシート２００（図８）や、商品の品質に関する期限（品質期限）としての賞味期限を表示した期限表示シート３００（図８）を発行するとともに、並行してジャーナル用紙への印字等を行うものである。プリンタ１２は、図３に示すように、搬送機構１２ａと、印字機構１２ｂと、ロータリカッタ等の切断機構１２ｃと、を有している。プリンタ１２は、ロール状に巻回された状態で用紙収納部（図示せず）に保持されたレシート用紙を、搬送機構１２ａが引き出し搬送し、この搬送過程で印字機構１２ｂがレシート用紙に情報を印字してレシート２００や期限表示シート３００を生成し、生成したレシート２００や期限表示シート３００を切断機構１２ｃが切断して発行する。なお、本実施形態では、商品の品質に関する期限として、賞味期限を例に説明するが、これに限るものではなく、商品の品質に関する期限としては商品の消費期限等であってもよい。ここで、賞味期限とは、食品衛生法やＪＡＳ法で定められている所の「その食品を開封せず正しく保存した場合に味と品質が充分に保てると製造業者が認める期間（期限）」であり、消費期限とは、食品衛生法やＪＡＳ法で定められている所の「定められた方法により保存した場合において、腐敗、変敗その他の品質の劣化に伴い安全性を欠くこととなるおそれがないと認められる期限を示す年月日」である。
【００１３】
スキャナ１７は、バーコード化されて商品に付された商品コードを光学的に読み取るものである。スキャナ１７は、読み取った商品コードを制御部１８に入力する。スキャナ１７は、ハンディータイプであり、操作者（店員）がスキャナ１７を把持して読み取り対象の商品コードへ近接させることで、スキャナ１７が商品コードを読み取る。商品コードは、商品の識別情報である。
【００１４】
図３に示すように、制御部１８は、各種演算やＰＯＳ端末１の各部を集中的に制御するＣＰＵ（Central  Processing  Unit）２１、各種プログラムや各種データ、表示文字のキャラクタジェネレータ等を記憶したＲＯＭ（Read  Only  Memory）２２、各種プログラムを一時的に記憶したり各種データを書き換え自在に記憶するＲＡＭ（Random  Access  Memory）２３、日時を計時する計時部２４および通信インターフェース（図面では、通信Ｉ／Ｆ）２６を有するコンピュータである。ＣＰＵ２１には、ＲＯＭ２２、ＲＡＭ２３、計時部２４および通信インターフェース２６がバス２５によって接続されている。ＰＯＳ端末１は、通信インターフェース２６を介してストアサーバ１００との通信が可能となっている。また、ＣＰＵ２１には、バス２５およびＩ／Ｏ機器制御部２７を介して、前述したキーボード１１、プリンタ１２、操作者用表示器１３、客用表示器１４、モードスイッチ１５、スキャナ１７、ドロワ１９とともに、記憶装置２８が接続されている。これにより、ＣＰＵ２１による各部の制御が可能となっているとともに、キーボード１１やスキャナ１７、モードスイッチ１５等からの信号がＣＰＵ２１に入力可能となっている。
【００１５】
記憶装置２８は、例えばハードディスクドライブ装置等から構成されている。記憶装置２８は、ＣＰＵ２１を動作させるプログラムや販売データを記憶する売上ファイル、レシート２００のフォーマットデータであるレシートフォーマット、期限表示シート３００のフォーマットデータである期限表示シートフォーマット等を格納している。
【００１６】
ストアサーバ１００は、図４に示すように、制御部１１０を備えている。制御部１１０は、各種演算やストアサーバ１００の各部を集中的に制御するＣＰＵ１１１、各種プログラムや各種データを記憶するＲＯＭ１１２、各種プログラムを一時的に記憶したり各種データを書き換え自在に記憶するＲＡＭ１１３、日時を計時する計時部１１４および通信インターフェース（図面では、通信Ｉ／Ｆ）１１６を有するコンピュータである。ＣＰＵ１１１には、ＲＯＭ１１２、ＲＡＭ１１３、計時部１１４および通信インターフェース１１６がバス１１７によって接続されている。ストアサーバ１００は、通信インターフェース１１６を介してＰＯＳ端末１との通信が可能となっている。
【００１７】
また、ストアサーバ１００は、キーボード１３８、プリンタ１３９、表示器１４０および記憶装置１４１を備えている。これらのキーボード１３８、プリンタ１３９、表示器１４０および記憶装置１４１は、バス１１７およびＩ／Ｏ機器制御部１１８を介して、ＣＰＵ１１１に接続されている。これにより、ＣＰＵ１１１による各部の制御が可能となっているとともに、キーボード１３８等からの信号がＣＰＵ１１１に入力可能となっている。
【００１８】
記憶装置３８は、例えばハードディスクドライブ装置等から構成されている。記憶装置１４１は、ＣＰＵ１１１を動作させるプログラムの他、商品情報を記憶する商品マスタファイルＦ等や、販売データを記憶する売上ファイル等を格納している。
【００１９】
商品マスタファイルＦは、図５に示すように、商品毎に、商品コードや名称（商品名称）、単価、賞味期限を記憶している。本実施形態では、商品マスタファイルＦが、商品の品質に関する期限として賞味期限を記憶する記憶部に相当する。商品マスタファイルＦには、賞味期限が有る全ての商品の賞味期限を記憶させても良いし、一部の商品の賞味期限だけを記憶させても良い、後者の一例としては、賞味期限が商品の製造日から規定日数（例えば２ヶ月）以内の商品の賞味期限を商品マスタファイルＦに記憶し、賞味期限が製造日から規定日数（この場合の例では２ヶ月）を超える商品の賞味期限は商品マスタファイルＦに記憶しない例を挙げることができる。また、賞味期限自体がない商品（文房具等）に対しては、当然、賞味期限は記憶されていない。商品マスタファイルＦへの商品の賞味期限の格納は、例えば、商品の賞味期限情報の入力を受け付ける商品情報設定画面（図示せず）を表示器１４０に表示し、この商品情報設定画面へのキーボード１３８による賞味期限情報の入力によって行われる。
【００２０】
次に、ストアシステムＡが実行する各種の処理のうちＰＯＳ端末１のＣＰＵ２１がプログラムに従って実行する販売処理について図６ないし図８を参照して説明する。
【００２１】
ＰＯＳ端末１のＣＰＵ２１は、プログラムに従うことにより、図６に示すように、受付手段５１と、読出手段５２と、登録手段５３と、決済手段５４と、発行手段５５と、を機能部として実現する。
【００２２】
受付手段５１は、一取引に含まれる商品の商品コードを受け付ける。読出手段５２は、商品の賞味期限を記憶した記憶部である商品マスタファイルＦから、受付手段５１によって商品コードが受け付けられた商品の賞味期限を含む商品情報を、読み出す。登録手段５３は、受付手段５１によって商品コードが受け付けられた商品をＲＡＭ２３に記憶させることで販売登録する。決済手段５４は、一取引の決済処理を行う。発行手段５５は、一取引のレシート２００と、一取引に含まれる商品の賞味期限を表示した期限表示シート３００と、を別体でプリンタ１２に発行させる。
【００２３】
以下、図７のフローチャートを参照しながら販売処理を詳細に説明する。ＣＰＵ２１は、まず、受付手段５１として動作して、スキャナ１７からの商品コードの入力を待つ（ステップＳ１のＮｏ）。ＣＰＵ２１は、受付手段５１として、スキャナ１７からの商品コードの入力を受け付けると（ステップＳ１のＹｅｓ）、次に読出手段５２として動作して、商品コードを受け付けた商品の商品情報を、ストアサーバ１００の商品マスタファイルＦから読み出す（ステップＳ２）。詳しくは、ＣＰＵ２１は、ストアサーバ１００に問い合わせをして、その返答として商品の商品情報を受信する。この読み出した商品は、商品名、単価、賞味期限を含む。なお、商品マスタファイルＦに賞味期限が記憶されていない商品の場合には、読み出した商品情報に賞味期限は含まれない。
【００２４】
次に、ＣＰＵ２１は、登録手段５３として、商品コードを受け付けた商品を販売登録する（ステップＳ３）。詳細には、ＣＰＵ２１は、ステップＳ２で読み出した商品情報を用いて当該商品の販売データを作成してこの販売データをＲＡＭ２３に記憶させることで、当該商品の販売登録を行う。販売データには、商品名や賞味期限が含まれる。また、ＣＰＵ２１は、商品の商品情報のうち単価等を操作者用表示器１３および客用表示器１４に表示させる。さらに、ＣＰＵ２１は、ここまで販売登録した商品の合計金額を算出して、ＲＡＭ２３に記憶させるとともに、操作者用表示器１３および客用表示器１４に表示させる。
【００２５】
そして、ＣＰＵ２１は、小計キーが操作されない場合には（ステップＳ４のＮｏ）、ステップＳ１〜Ｓ３の処理を繰り返し行う。
【００２６】
ＣＰＵ２１は、小計キーが操作された場合には（ステップＳ４のＹｅｓ）、決済手段５４として動作して、決済処理を行う（ステップＳ５）。決済処理では、ＣＰＵ２１は、キーボード１１からの預かり金額の入力を受け付ける。次に、ＣＰＵ２１は、預かり金額がステップＳ３で算出した商品の合計金額以上である場合には、釣り銭金額を算出し、商品の合計金額、預かり金額および釣り銭金額を販売データに含ませて販売データを更新し、決済を完了する。また、この際、ＣＰＵ２１は、預かり金額および釣り銭金額を操作者用表示器１３および客用表示器１４に表示させる。なお、ＣＰＵ２１は、預かり金額がステップＳ３で算出した商品の合計金額未満である場合には、預かり金額不足であるので、再びキーボード１１からの預かり金額が入力されるのを待つ。なお、ここでは、現金による決済の例を説明したが、これに限るものではなく、決済は、電子マネーやクレジットカードによる決済であっても良い。
【００２７】
次に、ＣＰＵ２１は、発行手段５５として動作して、ステップＳ６〜Ｓ８の発行処理を実行する。ステップＳ６では、ＣＰＵ２１は、期限表示シート３００を発行する商品がある否かを判定する（ステップＳ６）。詳細には、ＣＰＵ２１は、ステップＳ２で読み出した商品情報に賞味期限が含まれている商品があるか否かをＲＡＭ２３に記憶させた販売データを参照して判定する。ＣＰＵ２１は、商品情報に賞味期限が含まれている商品がある場合には、期限表示シート３００を発行する商品があると判定して（ステップＳ６のＹｅｓ）、ステップＳ７に進む。ステップＳ７では、ＣＰＵ２１は、レシートフォーマットにレシート情報を盛り込んだレシート印字データを生成して、このレシート印字情報に基づいてプリンタ１２にレシート２００（図８）を発行させる。そして、ステップＳ７では、ＣＰＵ２１は、期限表示シート３００を発行する商品毎に、期限表示シートフォーマットに賞味期限表示情報を盛り込んで、期限表示シート印字データに基づいて期限表示シート３００（図８）をプリンタ１２に発行させる（ステップＳ７）。ＣＰＵ２１は、レシート２００と期限表示シート３００とを別体で発行させる。ＣＰＵ２１は、賞味期限が設定さている商品が複数有る場合、その商品単位で、相互に別体の期限表示シート３００を発行する。ＣＰＵ２１（発行手段５５）は、期限表示シート３００に表示する賞味期限が複数有る場合、期限の早い順にプリンタ１２に印字させる。即ち、本実施形態では、賞味期限が早い順に、期限表示シート３００が発行される。つまり、本実施形態では、レシート２００及び期限表示シート３００は、図８の上から下に向かう順で発行される。
【００２８】
図８に示すように、レシート２００は、商品の名称、商品の単価、合計金額、預かり金額、釣り銭金額等を表示している。また、レシート２００は、期限表示シート３００に賞味期限が表示された商品には、期限表示シート３００に、賞味期限が表示されている旨を示す案内情報（図８の例では、「○印の商品には、期限表示シートが発行されています」）を表示している。
【００２９】
期限表示シート３００は、商品の名称（図８の例では、「商品ＢＢＢ」や「商品ＡＡＡ」）と当該商品の賞味期限（図８の例では「賞味期限  ２０１０年８月２日」や「賞味期限  ２０１０年８月３日」」とを表示し、且つ賞味期限を商品の名称の文字サイズよりも大きい文字サイズで表示している。
【００３０】
一方、ＣＰＵ２１は、商品情報に賞味期限が含まれている商品がない場合には、賞味期限が設定されている商品がないと判定して（ステップＳ６のＮｏ）、レシート２００だけをプリンタ１２に発行させる（ステップＳ８）。即ち、ＣＰＵ２１（発行手段５５）は、賞味期限が商品マスタファイルＦに記憶されていない商品に対しては期限表示シート３００を発行しない。このときのレシート２００は、期限表示シート３００に賞味期限が表示されている旨を示す案内情報は表示していないものとなる。
【００３１】
以上説明したとおり、本実施形態では、発行手段５５が、一取引のレシート２００と、一取引に含まれる商品の賞味期限を表示した期限表示シート３００と、を別体でプリンタ１２に発行させる。したがって、レシート２００および期限表示シート３００のそれぞれは、それらが一体の場合に比べて、その長さが短い。よって、客が期限表示シート３００およびレシート２００を財布等に容易に収納できる。
【００３２】
なお、本実施形態では、賞味期限が設定さている商品が複数有る場合、その商品単位で、ＣＰＵ２１が、相互に別体の期限表示シート３００を発行させる例を説明したが、これに限るものではなく、複数の期限表示シート３００間をパーシャルカットして、複数の期限表示シート３００同士が接続された状態としても良い。さらには、複数の期限表示シート３００を切断（パーシャルカットも含む）せずに一枚のシートとして発行しても良い。
【００３３】
また、本実施形態では、商品マスタファイルＦがストアサーバ１００に設けられた例を説明したが、これに限るものではなく、ＰＯＳ端末１に商品マスタファイルＦが設けられていても良い。
【００３４】
以上説明したとおり、実施形態によれば、客が期限表示シートおよびレシートを財布等に容易に収納できる。
【符号の説明】
【００３５】
１…ＰＯＳ端末（商品情報処理装置）
１２…プリンタ
５１…受付手段
５２…読出手段
５４…決済手段
５５…発行手段
２００…レシート
３００…期限表示シート
Ｆ…商品マスタファイル（記憶部）
【先行技術文献】
【特許文献】
【００３６】
【特許文献１】特開２００８−２１１４６公報
【図１】
2012053694.tif 000003
【図２】
2012053694.tif 000004
【図３】
2012053694.tif 000005
【図４】
2012053694.tif 000006
【図５】
2012053694.tif 000007
【図６】
2012053694.tif 000008
【図７】
2012053694.tif 000009
【図８】
2012053694.tif 000010